(57)【特許請求の範囲】
【請求項１】
ガスを検知して表示灯及びスピーカの駆動により警報し、天井面又は壁面等の取付部に対し着脱自在な本体ユニットと、
前記本体ユニットに重ねて装着され、煙を検出して前記本体ユニットの表示灯及びスピーカの駆動により警報する煙検知ユニットと、
前記本体ユニットに煙検知ユニットを装着した状態で外側を覆って装着されるカバーと、を備えた火災ガス漏れ複合型警報器に於いて、
前記スピーカは前記本体ユニットのスピーカ開口部の中に装着され、前記スピーカ開口部に相対した前記煙検知ユニットとカバー内側の部位に、両者の組付け状態で前記スピーカ開口部からカバー音響孔までの間に円筒状の音響ダクトを形成し、
前記音響ダクトは、前記カバーの内側に一体に形成された半円筒と前記煙検知ユニットの外周部に一体に形成された半円筒を組合わせることで円筒状に形成され、
更に、組付け状態で、外側に位置する前記カバーの半円筒は前記スピーカ開口部と同径で相対し、内側に位置する前記煙検知ユニットの半円筒は前記スピーカ開口部の中に嵌合するように径を小さくしたことを特徴とする火災ガス漏れ複合型警報器。
【請求項２】
請求項１記載の火災ガス漏れ複合型警報器に於いて、前記煙検知ユニットと前記カバーの半円筒は、組込み状態で円周方向の端部がオーバーラップするように形成したことを特徴とする火災ガス漏れ複合型警報器。
【発明の詳細な説明】
【０００１】
【発明の属する技術分野】
本発明は、火災やガス漏れ等の発生時に煙やガスを検知して内蔵スピーカから警報を発する火災ガス漏れ複合型警報器に関する。
【０００２】
【従来の技術】
近年、家庭内での都市ガスの検知と火災による熱や煙を検知する両方の機能を備えた火災ガス漏れ複合型警報器の開発が進められている。
【０００３】
このような火災ガス漏れ複合型警報器にあっては、ガス検知器としては、都市ガスを検知して警報するだけでよいが、火災検知器としては、火災による煙を検知する煙検知器、火災による熱を検知する熱検知器等があり、例えば調理による煙や水蒸気が出る台所については、誤報の少ない熱検知器としての機能が必要であり、一方、居間や寝室等のように火気のない場所については、検知性能の良い煙検知器としての機能が必要である。
【０００４】
そこで、ガスを検知する部分を本体ユニットとして共通化し、この共通化したガス検知用の本体ユニットに対し設置場所に応じて煙検知ユニットまたは熱検知ユニットを組合わせ、更に全体にカバーを装着した構造をとることが望ましい。
【０００５】
【発明が解決しようとする課題】
ところで、ガス検知用の本体ユニットに装着する熱検知ユニットにあっては、サーミスタ等の熱検知ユニットを外部に突出しているだけであるため、本体ユニットに組付けたときの高さは比較的低い。しかし、煙検知ユニットの場合には、発光素子と受光素子を含む散乱光式煙検出構造をもっており、熱検知ユニットに比べ本体ユニットに組付けた場合に高くなる。
【０００６】
このため本体ユニットに熱検知ユニットを組合わせてカバーを装着する場合には、本体ユニットに内蔵したスピーカの開口部の直下にカバーの音響孔が位置し、スピーカからの規定の音圧の警報音を出すことができる。
【０００７】
しかし、本体ユニットに煙検知ユニットを組合わせてカバーを装着する場合には、煙検知ユニットが高くなり、また本体ユニットから煙検知ユニットに至る外側部分は、傾斜面にして煙を煙検知ユニットの煙流入孔に入り易くする必要があり、このため本体ユニットに設けたスピーカからカバー音響孔までの間に空間ができる構造となる。このため、スピーカからの音が本体ユニットとカバーの間で籠り、基準の音圧を出せないという問題があった。
【０００８】
本発明の目的は、本体ユニットとカバー音響孔との間に空間があっても規定の音圧を確保できるようにした火災ガス漏れ複合型警報器を提供することを目的とする。
【０００９】
【課題を解決するための手段】
この目的を達成するため本発明は次のように構成する。
【００１０】
まず本発明は、ガスを検知して表示灯及びスピーカの駆動により警報し、天井面又は壁面等の取付部に対し着脱自在な本体ユニットと、本体ユニットに重ねて装着され、煙を検出して本体ユニットの表示灯及びスピーカの駆動により警報する煙検知ユニットと、本体ユニットに煙検知ユニットを装着した状態で外側を覆って装着されるカバーとを備えた火災ガス漏れ複合型警報器であって、スピーカは本体ユニット下面のスピーカ開口部の中に装着され、スピーカ開口部に相対した煙検知ユニットとカバー内側の部位に、両者の組付け状態でスピーカ開口部からカバー音響孔までの間に円筒状の音響ダクトを形成したことを特徴とする。
【００１１】
このように煙検知ユニットとカバーの組合わせで本体ユニットのスピーカ開口部をカバー音響孔に繋げる円筒状の音響ダクトが形成されるため、スピーカからの音は本体ユニットとカバーの間の空間に広がって減衰することなく、音響ダクトを通って外部に出ることで規定の音圧を確保することができる。
【００１２】
ここで、音響ダクトは、煙検知ユニットとカバーの各々に円筒を２分割した半円筒を一体に形成して組合わせる。この場合、外側に位置するカバーの半円筒はスピーカ開口部と同径で相対し、内側に位置する煙検知ユニットの半円筒はスピーカ開口部の中に嵌合するように径を小さくする。更に、煙検知ユニットとカバーの半円筒は、組込み状態で円周方向の端部がオーバーラップするように形成する。
【００１３】
このため本体ユニットに煙検出ユニットを組付ける際に、本体ユニットのスピーカ開口部に対する煙検知ユニットの半円筒の嵌め込みで位置関係（方向）が一義的に決まり、更にカバーを組み付ける際にも、煙の検知ユニットの半円筒に対するカバーの半円筒を円周方向でオーバラップした嵌め合わせることで、組立てが容易で、２分割した円筒となる音響ダクトの隙間も最小限にできる。
【００１４】
【発明の実施の形態】
図１は煙検知ユニットを備えた本発明による火災ガス漏れ複合型警報器の説明図である。
【００１５】
図１において、本発明の火災ガス漏れ複合型警報器は、本体ユニット１の下側にカバー３を装着しており、本体ユニット１は天井面に固定される天井取付部材４に対し、着脱自在に設けられ、天井取付部材４側に対し、機械的に連結されると同時に電気的に接続されて商用ＡＣ１００Ｖの電源供給を受ける。
【００１６】
本体ユニット１の下側中央部には、後の説明で明らかにするように煙検知ユニットが装着されており、この煙検知ユニットに対応してカバー３の下部のほぼ円錐上の突出部分の周囲に煙流入孔７を開口している。また本体ユニット１及びカバー３の周囲の部分には、上下３か所に分かれてガス流入孔５ａ，５ｂ，５ｃがスリット状に形成されており、その内側の本体ユニット１の部分にガスセンサを設けている。
【００１７】
図２は図１の軸方向で見た半断面図である。図２において、本体ユニット１の下側には、煙検知ユニット２が装着されており、その外側を覆って、カバー３が装着されている。本体ユニット１にはスピーカ８が内蔵され、スピーカ８は下方に開口したスピーカ開口部９の内側部分に装着されている。
【００１８】
このスピーカ開口部９に相対したカバー３の傾斜面の部分には、スリット状の音響孔６が形成されている。更に本体ユニット１のスピーカ開口部９からカバー３の内側の音響孔６までの空間に円筒状の音響ダクト１０を形成している。この音響ダクト１０は、カバー３の内側の半円筒１１と煙検知ユニット２の外周部の半円筒１２を組合わせることで円筒状により形成されている。
【００１９】
更に本体ユニット１の内部には回路基板１３が収納され、この回路基板１３に火災ガス漏れ複合型警報器に必要な回路部品が実装されている。また本体ユニット１の下側に装着した煙検知ユニット２は、煙流入孔７が周囲に位置する円筒キャップ状のチャンバー内部に、発光素子と受光素子をある角度を持って対向しないように配置し、煙が流入した際の散乱光を受光して、受光信号を出力する散乱光式煙検出機構を内蔵している。
【００２０】
この散乱光式煙検出機構で使用している発光素子及び受光素子の各回路については、煙検知ユニット２の回路基板２５側に実装され、本体ユニット１との装着で電気的に回路基板１３側と接続されている。
【００２１】
図３は図２の組立分解図である。図３において、本体ユニット１の下側中央には、煙検知ユニット２が装着される。このとき煙検知ユニット２に設けている音響ダクト１０の内側半分を構成する半円筒１２は、本体ユニット１のスピーカ開口部９の内側に嵌まり込み、これによって本体ユニット１に対する煙検知ユニット２の位置決めが行なわれている。
【００２２】
このため煙検知ユニット２側に形成した音響ダクト１０のための半円筒１２は、本体ユニット１のスピーカ開口部９の中に下方から挿入できる小さな径であり、且つ組込み状態でスピーカ開口部９の中に図２のように挿入される高さを持っている。
【００２３】
カバー３は本体ユニット１に煙検知ユニット２を装着した後に下側から装着される。この時、本体ユニット１に装着している煙検知ユニット２の半円筒１２の外側を包むように音響孔６の内側に形成している半円筒１１が嵌まり込む。このためカバー３の内側に形成した半円筒１１は、本体ユニット１のスピーカ開口部９と同じ径でその開口部に相対する高さを持っている。
【００２４】
また図２から明らかなように、本体ユニット１にカバー３を組付けた状態でカバー３側の半円筒１１と、煙検知ユニット２側の半円筒１２は、半円筒の合せ部分で円周方向にオーバーラップしており、これによって２分割した円筒であっても、組付け状態での隙間を無くしている。
【００２５】
更に図２から明らかなように、、本体ユニット１にカバー３を取付けた状態で内部に設けている煙検知ユニット２とカバー３との間は、煙検知ユニット２側の外周縁部２ａとカバー３内側の環状段部３ｂの位置合わせにより、煙流入孔７が開口した空間と音響孔６に繋がる音響ダクト１０を形成する空間との間の隙間を最小限に押さえている。
【００２６】
これによって本発明の火災ガス漏れ複合型警報器１を天井面側に設置した状態でカバー３の煙流入孔７からゴキブリ等の虫が侵入しても、音響ダクト１０側を通って本体ユニット１の内部に入り込んでしまうようなことを未然に防止している。
【００２７】
図４は図３の本体ユニット１を下側から見た説明図である。図４において、本体ユニット１の中心部には、後の説明で明らかにする熱検知ユニットのセンサ取付孔２３が設けられ、その周囲に張り出したリング状の部分の３か所に図３の煙検知ユニット２を装着するための嵌合溝１４を形成している。
【００２８】
この嵌合溝１４の周囲となる右側にはスピーカ開口部９が設けられ、内部にスピーカ８を設けている。またスピーカ開口部９に対し、９０度離れた図上で下側の位置には、ガスセンサ２４が設けられている。更にスピーカ開口部９に対し、中心に対する反対側の位置には、３つの表示灯１６ａ，１６ｂ，１６ｃが設けられている。この３つの表示灯１６ａ〜１６ｃは例えば定常監視状態で点灯している電源灯（緑）、ガス漏れを検知した際に点灯するガス漏れ表示灯（赤）等である。
【００２９】
図５は、図３のカバー３側に煙検知ユニット２を組込んだ状態で上側から見た説明図である。図５において、カバー３の中央に組込まれた煙検知ユニット２は、中心部の周囲３か所に上向きに嵌合爪１５を形成しており、この嵌合爪１５を図４の本体ユニット１に設けている同じく３か所の嵌合溝１４に嵌合することで取付け固定できる。この場合、嵌合爪１５と嵌合溝１４は、どの位置であっても嵌合でき。方向性はない。
【００３０】
煙検知ユニット２及びカバー３の内部右側のには、煙検知ユニット２側に設けた半円筒１２とカバー３側に設けた半円筒１１の組合わせによりほぼ円筒形に区切られた円筒状の音響ダクト１０が形成されている。
【００３１】
ここで煙検知ユニット２側の半円筒１２は、図２に示したように本体ユニット１のスピーカ開口部９に挿入されることから径が小さく、これに対しカバー３側の半円筒１１は本体ユニット１のスピーカ開口部９と同じ径で開口部に相対しており、半円筒１１，１２を組合わせた状態で、半円筒１２の円周方向の縁部が半円筒１１の反対向きの円周方向の縁部の内側に位置し、更に、円周方向の端部１１ａ，１２ａがオーバーラップするように形成している。このため円筒形を２分割した半円筒１１，１２で音響ダクト１０を構成してた場合の、隙間が最小限に押さえられている。
【００３２】
カバー３の音響ダクト１０に対し９０度異なる位置には、スリット状のガス流入孔５ｃが形成され、更に９０度異なる位置には３つの表示窓１７ａ，１７ｂ，１７ｃが設けられ、図４の本体ユニット１側に設けている表示灯１６ａ〜１６ｃの状態を外部から見えるようにしている。
【００３３】
図６は、図１の煙検知ユニットを装着した火災ガス漏れ複合型警報器と同じ本体ユニット１を使用して熱検知ユニットを装着した場合の火災ガス漏れ複合型警報器の説明図である。図６において、本体ユニット１は図１と同じものであり、天井面側に固定される天井取付部材４に対し着脱自在に設けられ、機械的且つ電気的に接続されている。
【００３４】
本体ユニット１の下部には、熱検知ユニット１８が装着されている。本体ユニット１の周囲及びカバー１９の周囲には、３ケ所に分けてスリット状のガス流入孔５ａ，５ｂ，５ｃが形成されている。またカバー１９の下部中央には内側に熱検知ユニットの熱センサを突出していることから、これを保護するための保護カバー２１を装着している。
【００３５】
図７は、図６の軸方向の半断面図である。図７において、本体ユニット１は図２と同様、スピーカ開口部９を持ち、スピーカ開口部９の内側にスピーカ８を配置している。また内部には回路基板１３が設けられている。この本体ユニット１に対し、下側に熱検知ユニット１８が装着され、その外側にカバー１９が装着される。
【００３６】
カバー１９のスピーカ開口部９に相対した位置には、スリット状の音響孔６Ａが複数設けられている。熱検知ユニット１８は、中央のセンサ取付孔２３に熱センサ２０を取付け、その周囲を覆う形で保護カバー２１を取付けている。熱センサ２０は、先端部分にサーミスタ等の温度検出素子を内蔵しており、回路基板２６に実装している熱センサ回路により火災による温度変化などを検出して警報を行なうようになる。
【００３７】
ここで図２に示した煙検知ユニット２を備えた本発明の火災ガス漏れ複合型警報器と、図７に示した同じ本体ユニット１を使用して熱検知ユニット１８を設けた火災ガス漏れ複合型警報器を比べて見ると、図７の熱検知ユニット１８を用いた火災ガス漏れ複合型警報器にあっては、本体ユニット１のスピーカ開口部９に対し、直接、カバー１９の音響孔６Ａが位置しており、スピーカ８を駆動した際に音響孔６Ａより規定の音圧を得ることができる。
【００３８】
これに対し図２の煙検知ユニット２を装着した場合には、煙検知ユニット２の外側に設けたカバー３がその周囲の部分で横方向からきた煙の流れを煙流入孔７に導くようにするために傾斜面としており、この傾斜面に音響孔６を形成していることから、そのまま組付けた場合にはスピーカ開口部９と音響孔６との間に空間ができ、この空間を通して音響孔６からスピーカ８の音が出るため、スピーカ８の音が途中の空間で籠って音響孔６からは規定の音圧が得られない。
【００３９】
そこで本発明にあっては、スピーカ開口部９とカバー３の傾斜面に形成した音響孔６との間に、カバー３側の半円筒１１と煙検知ユニット２側の半円筒１２の組合わせで円筒状の音響ダクト１０を形成しており、このためスピーカ８からの音はスピーカ開口部９及び音響ダクト１０を通って音響孔６から出ることになり、途中に開放された空間がないことから、煙検知ユニット２の場合にも図７の熱検知ユニット１８の場合と同様、音響孔６より規定の音圧を得ることができる。
【００４０】
図８は煙検知ユニットを備えた本発明による火災ガス漏れ複合型警報器の他の実施形態の説明図であり、この実施形態にあっては、カバーの形状を図１とは異なる形状としている。
【００４１】
図８において、本体ユニット１の下側には内部に煙検知ユニットを装着した状態で、カバー２２が装着されている。このカバー２２は、図１のカバー３に比べると、下部の煙流入孔７に至る側面部分が直線テーパではなく、円環状のドーム面２２ａとしている。
【００４２】
図９は図８の軸方向の半断面図であり、カバー２２の形状は異なるが基本的な形状は図２と同じである。即ち、本体ユニット１及び煙検知ユニット２は図２と同じであり、その下側にドーム面２２ａを持ったカバー２２を装着している。カバー２２のスピーカ開口部９に相対した位置には、スリット状の音響孔６が形成され、この部分に音響ダクト１０の外側を形成する半円筒１１を形成している。
【００４３】
このため煙検知ユニット２に対するカバー２２の組付け状態でカバー側の半円筒１１と煙検知ユニット２側の半円筒１２により、円筒状の音響ダクト１０が形成され、スピーカ８からの音はスピーカ開口部９より音響ダクト１０を通って周囲に広がること無く音響孔６より外部に出され、規定の音圧を得ることができる。
【００４４】
この図２及び図９の実施形態から明らかなように、煙検知ユニット２を本体ユニット１に内蔵した火災ガス漏れ複合型警報器にあっては、本体ユニット１と煙検知ユニット２は共用ユニットとし、カバー３，２２について必要に応じて適宜の形状デザインを自由にとることができ、この場合に重要なことは、スピーカ開口部９に相対した位置に音響ダクト１０の外側半分を形成する半円筒１１を設けるようにすればよい点だけである。
【００４５】
勿論、本体ユニット１については図２及び図９の煙検知ユニット２を装着した場合の共用化に加え、図６，図７のように熱検知ユニット１８を装着する場合にも、共用化できる。
【００４６】
尚、本発明は上記の実施形態に限定されず、その目的と利点を損わない適宜の変形を含む。例えば、半円筒１２と同様に、半円筒１１をスピーカ開口部９に嵌め込んでもよい。
【００４７】
【発明の効果】
以上説明してきたように本発明によれば、本体ユニットに対する煙検知ユニットとカバーの組み合わせで、本体ユニットのスピーカ開口部をカバー音響孔に繋げる円筒状の音響ダクトが形成され、スピーカからの音は、本体ユニットとカバーの間の空間に広がって減衰すること無く音響ダクトを通って外部に出ることで、規定の音圧を確保することができる。
【００４８】
また本体ユニットに対し煙検知ユニットの嵌合爪による取付けは爪が円周方向の例えば３か所に等間隔に設けられているために取付け位置の規制はないが、本発明で音響ダクトの円筒の半分を煙感知ユニット側に設け、組付け時に本体ユニットのスピーカ開口部に嵌まり込むようにしたことで、本体ユニットに対する煙検知ユニットの組付け方向が一義的に決まり、組み立てが行ないやすい。
【００４９】
更にカバーと煙検知ユニットの組付け状態で音響ダクトが位置する合わせ部分に隙間を狭める壁部分があるため、煙流入孔から本体部分への煙の流れ込みや、ゴキブリ等の虫の侵入を防ぐこともできる。
【図面の簡単な説明】
【図１】煙検知ユニットを備えた本発明による火災ガス漏れ複合型警報器の説明図
【図２】図１の軸方向の半断面図
【図３】図２における本体ユニット、煙検知ユニット及びカバーの組立分解図
【図４】図３の本体ユニットを下側から見た説明図
【図５】図３の煙検知ユニットとカバーの組立体を上側から見た説明図
【図６】図１の本体ユニットを共用して熱検知ユニットを備えた複合検知器の説明図
【図７】図６の軸方向の半断面図
【図８】カバー形状が異なる本発明による複合検知器の説明図
【図９】図８の軸方向の半断面図
【符号の説明】
１：本体ユニット
２：煙検知ユニット
２ａ：外周縁部
３，２２：カバー
３ｂ：環状段部
４：天井取付部材
５ａ〜５ｃ：ガス流入孔
６，６ａ：音響孔
７：煙流入孔
８：スピーカ
９：スピーカ開口部
１０：音響ダクト
１１：半円筒（カバー側）
１２：半円筒（煙検知ユニット側）
１１ａ，１２ａ：オーバーラップ部分
１３，２５，２６：回路基板
１４：嵌合溝
１５：嵌合爪
１６ａ〜１６ｃ：表示灯
１７ａ〜１７ｃ：表示窓
１８：熱検知ユニット
１９：熱用カバー
２０：熱センサ
２１：保護カバー
２２：カバー
２３：熱センサ取付孔
２４：ガスセンサ
【図１】
0003638226.tif 000002
【図２】
0003638226.tif 000003
【図３】
0003638226.tif 000004
【図４】
0003638226.tif 000005
【図５】
0003638226.tif 000006
【図６】
0003638226.tif 000007
【図７】
0003638226.tif 000008
【図８】
0003638226.tif 000009
【図９】
0003638226.tif 000010